【手続補正書】
【提出日】平成28年5月2日(2016.5.2)
【手続補正１】
【補正対象書類名】明細書
【補正対象項目名】００３０
【補正方法】変更
【補正の内容】
【００３０】
したがって、間接照明器具の実施形態が開示された。当業者は、本明細書に記載される光学フィルム及びフィルム物品は、開示の実施形態以外の実施形態と共に実施され得ることを認識するであろう。開示された実施形態は、例証するために提示されるもので、制限するためのものではない。
本発明の実施態様の一部を以下の項目［１］−［２１］に記載する。
［項目１］
照明器具であって、
光源と、
前記光源に見当合わせされ、かつ前記光源から非コリメート光を受光する、第１のフリーフォーム反射器と、
前記第１のフリーフォーム反射器から反射された前記非コリメート光を受光するように構成される、２次反射器と、
前記２次反射器から反射された前記非コリメート光を受光するように構成される第２のフリーフォーム反射器と、
前記第２のフリーフォーム反射器に見当合わせされ、かつ前記第２のフリーフォーム反射器から反射された前記非コリメート光を受光するように構成される仮想光源反射器と、
を備える、照明器具。
［項目２］
前記仮想光源反射器が、部分的に拡散反射性である、項目１に記載の照明器具。
［項目３］
前記第２のフリーフォーム反射器が、前記仮想光源反射器から反射された前記非コリメート光を受光するように構成される、項目２に記載の照明器具。
［項目４］
前記第２のフリーフォーム反射器が、光を散乱するように構成される、項目３に記載の照明器具。
［項目５］
前記第１のフリーフォーム反射器と前記光源の中心との間の最短距離が、前記光源発光面の長さの少なくとも５倍である、項目１に記載の照明器具。
［項目６］
前記第２のフリーフォーム反射器から反射された前記非コリメート光を受光するように構成される、第２の２次反射器を更に備える、項目１に記載の照明器具。
［項目７］
前記第２の２次反射器から反射された前記非コリメート光を受光するように構成される、拡散反射器を更に備える、項目６に記載の照明器具。
［項目８］
前記第１のフリーフォーム反射器が、複数の高分子層を含み、かつ少なくとも９５％の光反射効率を有する、項目１に記載の照明器具。
［項目９］
前記光源が、発光ダイオードである、項目１に記載の照明器具。
［項目１０］
前記照明器具が、壁、又は天井に固定される、項目１に記載の照明器具。
［項目１１］
照明器具であって、
光源と、
前記光源に見当合わせされ、かつ前記光源から非コリメート光を受光する、第１のフリーフォーム反射器であって、前記第１のフリーフォーム反射器が、光を第１の方向及び第１の方向とは異なる第２の方向に導く、第１のフリーフォーム反射器と、
前記第１のフリーフォーム反射器から前記第１の方向に反射した前記非コリメート光を受光するように構成される、第１の２次反射器と、
前記第１のフリーフォーム反射器から前記第２の方向に反射した、前記非コリメート光を受光するように構成される第２の２次反射器と、
前記第１の２次反射器から反射された前記非コリメート光を受光するように構成される第２のフリーフォーム反射器と、
前記第２の２次反射器から反射された前記非コリメート光を受光するように構成される第３のフリーフォーム反射器と、
前記第２のフリーフォーム反射器に見当合わせされ、かつ前記第２のフリーフォーム反射器から反射された前記非コリメート光を受光するように構成される第１の仮想光源反射器と、
前記第３のフリーフォーム反射器に見当合わせされ、かつ前記第３のフリーフォーム反射器から反射された前記非コリメート光を受光するように構成される第２の仮想光源反射器と、
を備える、照明器具。
［項目１２］
前記第１のフリーフォーム反射器が、光を前記第１の方向と前記第２の方向とは異なる、第３の方向に導く、項目１１に記載の照明器具。
［項目１３］
前記第１のフリーフォーム反射器が、光を前記第１の方向と前記第２の方向と前記第３の方向とは異なる第４の方向に導く、項目１２に記載の照明器具。
［項目１４］
前記非コリメート光が、第１の平面と第２の平面との間に、前記光源から離れるように輸送される、項目１１に記載の照明器具。
［項目１５］
前記第１又は第２の仮想光源反射器が、部分的に拡散反射性である、項目１１に記載の照明器具。
［項目１６］
前記第２のフリーフォーム反射器が、前記第１の仮想光源反射器から反射された前記非コリメート光を受光するように構成され、かつ前記第３のフリーフォーム反射器が、前記第２の仮想光源反射器から反射された前記非コリメート光を受光するように構成される、項目１１に記載の照明器具。
［項目１７］
前記第２又は第３のフリーフォーム反射器が、光を散乱又は拡散するように構成される、項目１１に記載の照明器具。
［項目１８］
前記第１のフリーフォーム反射器と前記光源の中心との間の最短距離が、前記光源発光面の長さの少なくとも５倍である、項目１１に記載の照明器具。
［項目１９］
前記第１のフリーフォーム反射器が、複数の高分子層を含み、かつ少なくとも９５％の光反射効率を有する、項目１１に記載の照明器具。
［項目２０］
前記光源が、発光ダイオードである、項目１１に記載の照明器具。
［項目２１］
照明器具であって、
第１のスペクトル出力を有する第１の光源、及び前記第１のスペクトル出力とは異なる第２のスペクトル出力を有する第２の光源と、
前記第１の光源に見当合わせされ、かつ前記第１の光源から非コリメート光を受光する、第１のフリーフォーム反射器と、
前記第２の光源に見当合わせされ、かつ前記第２の光源から非コリメート光を受光する、第２のフリーフォーム反射器と、
前記第１のフリーフォーム反射器から反射された非コリメート光を受光するように構成される、第１の２次反射器と、
前記第２のフリーフォーム反射器から反射された非コリメート光を受光するように構成される第２の２次反射器と、
前記第１及び第２の２次反射器のうちの一方又は両方から反射された非コリメート光を受光するように構成される、第３のフリーフォーム反射器と、
前記第３のフリーフォーム反射器に見当合わせされ、かつ前記第３のフリーフォーム反射器から反射された前記非コリメート光を受光するように構成される仮想光源反射器と、
を備える、照明器具。
【手続補正２】
【補正対象書類名】特許請求の範囲
【補正対象項目名】全文
【補正方法】変更
【補正の内容】
【特許請求の範囲】
【請求項１】
照明器具であって、
光源と、
前記光源に見当合わせされ、かつ前記光源から非コリメート光を受光する、第１のフリーフォーム反射器と、
前記第１のフリーフォーム反射器から反射された前記非コリメート光を受光するように構成される、２次反射器と、
前記２次反射器から反射された前記非コリメート光を受光するように構成される第２のフリーフォーム反射器と、
前記第２のフリーフォーム反射器に見当合わせされ、かつ前記第２のフリーフォーム反射器から反射された前記非コリメート光を受光するように構成される仮想光源反射器と、
を備える、照明器具。
【請求項２】
照明器具であって、
光源と、
前記光源に見当合わせされ、かつ前記光源から非コリメート光を受光する、第１のフリーフォーム反射器であって、前記第１のフリーフォーム反射器が、光を第１の方向及び第１の方向とは異なる第２の方向に導く、第１のフリーフォーム反射器と、
前記第１のフリーフォーム反射器から前記第１の方向に反射した前記非コリメート光を受光するように構成される、第１の２次反射器と、
前記第１のフリーフォーム反射器から前記第２の方向に反射した、前記非コリメート光を受光するように構成される第２の２次反射器と、
前記第１の２次反射器から反射された前記非コリメート光を受光するように構成される第２のフリーフォーム反射器と、
前記第２の２次反射器から反射された前記非コリメート光を受光するように構成される第３のフリーフォーム反射器と、
前記第２のフリーフォーム反射器に見当合わせされ、かつ前記第２のフリーフォーム反射器から反射された前記非コリメート光を受光するように構成される第１の仮想光源反射器と、
前記第３のフリーフォーム反射器に見当合わせされ、かつ前記第３のフリーフォーム反射器から反射された前記非コリメート光を受光するように構成される第２の仮想光源反射器と、
を備える、照明器具。
【請求項３】
照明器具であって、
第１のスペクトル出力を有する第１の光源、及び前記第１のスペクトル出力とは異なる第２のスペクトル出力を有する第２の光源と、
前記第１の光源に見当合わせされ、かつ前記第１の光源から非コリメート光を受光する、第１のフリーフォーム反射器と、
前記第２の光源に見当合わせされ、かつ前記第２の光源から非コリメート光を受光する、第２のフリーフォーム反射器と、
前記第１のフリーフォーム反射器から反射された非コリメート光を受光するように構成される、第１の２次反射器と、
前記第２のフリーフォーム反射器から反射された非コリメート光を受光するように構成される第２の２次反射器と、
前記第１及び第２の２次反射器のうちの一方又は両方から反射された非コリメート光を受光するように構成される、第３のフリーフォーム反射器と、
前記第３のフリーフォーム反射器に見当合わせされ、かつ前記第３のフリーフォーム反射器から反射された前記非コリメート光を受光するように構成される仮想光源反射器と、
を備える、照明器具。